(57)【特許請求の範囲】
【請求項１】
略円筒状のボス部を有する第１の部品と、この第１の部品のボス部内に挿入される挿入部を有する第２の部品との組付構造であって、前記ボス部先端の切り口面は前記ボス部中心側の角部に面取りを有し、前記切り口面が高低に形成されるとともに、前記第２の部品が前記第１の部品に対して一方に偏った状態で前記挿入部を前記ボス部内に挿入しようとした際、前記挿入部の外周が前記ボス部の外周よりはみ出さないようにする規制部を前記第１の部品に設けたことを特徴とする部品の組付構造。
【請求項２】
略円筒状のボス部を有する第１の部品と、この第１の部品のボス部内に挿入される挿入部を有する第２の部品との組付構造であって、前記ボス部先端の切り口面は前記ボス部中心側に傾斜する傾斜面を有し、前記切り口面が高低に形成されるとともに、前記第２の部品が前記第１の部品に対して一方に偏った状態で前記挿入部を前記ボス部内に挿入しようとした際、前記挿入部の外周が前記ボス部の外周よりはみ出さないようにする規制部を前記第１の部品に設けたことを特徴とする部品の組付構造。
【請求項３】
略円筒状または中空角状のボス部を有する第１の部品と、この第１の部品のボス部内に挿入される挿入部を有する第２の部品との組付構造であって、前記ボス部先端の切り口面は前記ボス部中心側に傾斜する傾斜面を有するとともに、前記第２の部品が前記第１の部品に対して一方に偏った状態で前記挿入部を前記ボス部内に挿入しようとした際、前記挿入部の外周が前記ボス部の外周よりはみ出さないようにする規制部を前記第１の部品に設けたことを特徴とする部品の組付構造。
【発明の詳細な説明】
【０００１】
【発明の属する技術分野】
本発明は、例えば車両用の計器装置を構成する部品の組付構造に関するものである。
【０００２】
【従来の技術】
一般に、車両用の計器装置は図８に示す様に、合成樹脂性のケース１内に速度計や回転計などの計器２と車両の走行距離を示すいわゆるオドメータやトリップメータなどの積算計（図示しない）を収納してある。これらの計器２は計器本体３と、この計器本体３の前方に配設した導光板４と、この導光板４の前面に配設した表示板５と、前記計器本体３の作動に応じて回動する指針６を備えている。７は各計器２間の隙間や計器２とケース１との隙間を覆い隠す見返し板であり、８はケース１の前面開口側を覆う透視板である。また、９は前記計器２と電気的に接続され、計器２を駆動する電子部品や表示板５および指針６を照明する光源としてのバルブ１０などを搭載した回路基板であり、後述するタクトスイッチ１１も備えている。
【０００３】
この様な計器装置において、前記積算計は液晶などを用いた電子表示器として採用するものが多く有り、この積算計の表示切り替えや距離表示をゼロにリセットする等の操作のために合成樹脂からなる操作軸１２を備えている。操作軸１２の先端側は見返し板７及び透視板８に設けてある挿通穴１３，１３Ａから上方に突き出している。そして、この操作軸１２で回路基板９に設けてあるタクトスイッチ１１を押圧操作することにより、前記操作を行うことが出来る。ここで図９は、図８に示した操作軸１２と直交する方向の断面を表す。
【０００４】
操作軸１２は円柱状の操作部１４と、タクトスイッチ１１を押す押圧部１５と、操作軸１２中程の操作部１４周囲に設けた有底円筒状のボス部１６と、このボス部１６周囲より外側に突き出た２本の腕片１７と、腕片１７の下方に後述するケース１の係合部１８に係着する係止部１９とからなる。この係止部１９は左右方向に弾性変形可能に設けた係止片２０と、この係止片２０の先端に直角に突設した係止爪２１とからなる。また、図９に示す様に係止片２０を設けた方向と直交する方向には２本の腕片１７と、腕片１７の下方に上下方向に弾性変形可能な屈曲片２２が設けてあり、その先端はケース１に当接している。
【０００５】
ケース１には前記係止片２０と対応する位置に係合部１８が設けてあり、また、図９に示す様に屈曲片２２の先端側と対応するケース１箇所にはリブ２３を設けてリブ２３間で屈曲片２２先端および操作軸１２が左右方向に大きく動かないようにしてある。また、押圧部１５が挿通される孔２４の周囲には傾斜面を有する周壁２５を設けて、操作軸１２をケース１にセットする際に押圧部１５を孔２４に入れやすくしてある。なお、見返し板７裏側の挿通穴１３周囲には円筒状の挿入部２６が設けてあり、この挿入部２６下端側は操作軸１２のボス部１６内に挿入されている。この様にすることによって、バルブ１０が点灯しても、その光が見返し板７に設けてある挿通穴１３から上方に漏れないようにある。
【０００６】
この様に構成した計器装置の組み付けは、回路基板９にケース１を載置してケース１内に操作軸１２や計器２などを収納した後、見返し板７の挿通穴１３に操作軸１２の操作部１４を通して見返し板７を計器２の前面側に組み付ける。同様にして透視板８をケース１の前面開口側に組み付ける。なお、見返し板７および透視板８にそれぞれ設けてある挿通穴１３，１３Ａと操作部１４との寸法関係は、操作軸１２がケース１に固定されたものではなく、あるいは確実に位置決めされたものでもないために、傾いたり、位置ズレして組み付けられる可能性があり、操作部１４と見返し板７あるいは透視板８との隙間はこれらを考慮した寸法（本例の場合は周囲1.5〜２ｍｍ）となっている。また、タクトスイッチ１１を押圧操作する場合は、前述したように透視板８の挿通孔１３Ａから前方に突き出している操作軸１２の操作部１４を下方に押してやることにより、屈曲片２２が撓みながら操作軸１２が下動し押圧部１５がタクトスイッチ１１を押しトリップメータの距離表示をゼロにリセットする。その後、操作軸１２は屈曲片２２の弾性により元の位置に戻る。
【０００７】
【発明が解決しようとする課題】
しかしながら、見返し板７を組み付ける際、前述した如く、操作軸１２が傾いたり、位置ズレしてケース１に組み付けられていた場合、操作軸１２のボス部１６位置に対して見返し板７の挿入部２６が一方に偏った状態で挿入されようとする。すると、挿入部２６下端がボス部１６先端に当接してしまい、ボス部１６内に挿入部２６がスムーズに入らないことがある。あるいは、操作軸１２が傾いたり位置ズレしていない場合でも見返し板７の挿入部２６が一方に偏った状態で挿入されようとすると、同様にボス部１６内に挿入部２６がスムーズに入らないことがある。見返し板７を組み付ける際に操作軸１２のボス部１６および見返し板７の挿入部２６が見えないため、この様な傾向はより強い。
【０００８】
なお、この様な状態を解決する一方法として、操作軸１２と見返し板７の挿入部２６との径方向の位置ズレがあったとしても、見返し板７に設けてある挿入部２６が操作軸１２のボス部１６内にスムーズに挿入されるようにボス部１６に大きな誘い込みを設けてやれば良いが、ボス部１６の径方向の寸法を大きくする必要があり、延いては計器装置が大きくなったり、照明に影響を与える虞がある。
【０００９】
本発明はこの様な点に鑑みなされたもので、コンパクトな形状でもって組付作業性が良好な部品の組付構造を提供することを目的とする。
【００１０】
【課題を解決するための手段】
本発明は前記目的を達成するため、略円筒状のボス部を有する第１の部品と、この第１の部品のボス部内に挿入される挿入部を有する第２の部品との組付構造であって、前記ボス部先端の切り口面は前記ボス部中心側の角部に面取りを有し、前記切り口面が高低に形成されるとともに、前記第２の部品が前記第１の部品に対して一方に偏った状態で前記挿入部を前記ボス部内に挿入しようとした際、前記挿入部の外周が前記ボス部の外周よりはみ出さないようにする規制部を前記第１の部品に設けたものである。
【００１１】
また、略円筒状のボス部を有する第１の部品と、この第１の部品のボス部内に挿入される挿入部を有する第２の部品との組付構造であって、前記ボス部先端の切り口面は前記ボス部中心側に傾斜する傾斜面を有し、前記切り口面が高低に形成されるとともに、前記第２の部品が前記第１の部品に対して一方に偏った状態で前記挿入部を前記ボス部内に挿入しようとした際、前記挿入部の外周が前記ボス部の外周よりはみ出さないようにする規制部を前記第１の部品に設けたものである。
【００１４】
また、略円筒状または中空角状のボス部を有する第１の部品と、この第１の部品のボス部内に挿入される挿入部を有する第２の部品との組付構造であって、前記ボス部先端の切り口面は前記ボス部中心側に傾斜する傾斜面を有するとともに、前記第２の部品が前記第１の部品に対して一方に偏った状態で前記挿入部を前記ボス部内に挿入しようとした際、前記挿入部の外周が前記ボス部の外周よりはみ出さないようにする規制部を前記第１の部品に設けたものである。
【００１５】
【発明の実施の形態】
本発明を各実施形態に基づいて説明するが、従来例と同様に車両用の計器装置を形態とし、かつ従来例と同一もしくは相当箇所には同一符号を付して、その詳細説明は省略する。また、各実施形態においては第１の部品を操作軸、第２の部品を見返し板とする。
【００１６】
図１〜図６に本発明の第１実施形態を示す。操作軸１２は略円柱状の操作部１４と、タクトスイッチ１１を押す押圧部１５と、操作軸１２中程の操作部１４周囲に設けた有底略円筒状のボス部１６と、このボス部１６周囲より外側に突き出た２本の腕片１７と、腕片１７の下方に後述するケース１の係合部１８に係着する係止部１９とからなる。この係止部１９は左右方向に弾性変形可能に設けた係止片２０と、この係止片２０の先端に直角に突設した係止爪２１とからなる。ボス部１６先端の切り口面２７は均一の高さではなく、高低となっており（本実施形態の場合はなだらかなＶ字状）、高い箇所と低い箇所を曲線で結んだ形状となっている。さらに切り口面２７は図４に示す如く、ボス部１６中心側の角部にＲ状の面取り２８を施してある。また、図２に示す様に係止片２０を設けた方向と直交する方向には２本の腕片１７と、腕片１７の下方に上下方向に弾性変形可能な屈曲片２２が設けてあり、その先端はケース１に当接している。なお、切り口面２７は図５に示す様にボス部１６中心側に傾斜する傾斜面２９としても良い。また、ボス部１６は切り口が真ん円の円筒でなくとも近似形状なら良い。
【００１７】
ケース１には前記係止片２０と対応する位置に係合部１８が設けてあり、また、図２に示す様に屈曲片２２の先端側と対応するケース１箇所にはリブ２３を設けてリブ２３間で屈曲片２２先端および操作軸１２が左右方向に大きく動かないようにしてある。また、押圧部１５が挿通される孔２４の周囲には傾斜面を有する周壁２５を設けて、操作軸１２をケース１にセットする際に押圧部１５を孔２４に入れやすくしてある。なお、見返し板７裏側の挿通穴１３周囲には略円筒状の挿入部２６が設けてあり、この挿入部２６下端側は操作軸１２のボス部１６内に挿入されている。この様にすることによって、バルブ１０が点灯しても、その光が見返し板７に設けてある挿通穴１３から上方に漏れないようにある。
【００１８】
この様に構成した計器装置の組み付けは、従来例と同様に回路基板９にケース１を載置してケース１内に操作軸１２や計器２などを収納した後、見返し板７の挿通穴１３に操作軸１２の操作部１４を通して見返し板７を計器２の前面側に組み付ける。この時、ボス部１６が略円筒状で、かつ先端の切り口面２７が高低になっているために、操作軸１２が少し傾いたり位置ズレしてケース１に組み付けられていて、見返し板７の挿入部２６下端がボス部１６先端の高い側の切り口面２７に偏った状態で当接した場合、あるいは、操作軸１２が傾いたり位置ズレしていない場合でも見返し板７の挿入部２６下端がボス部１６先端の高い側の切り口面２７に偏った状態で当接しても、低い方へと、かつ切り口面２７に沿ってボス部１６の中心側へ寄るようにと移動して挿入部２６の下端側はボス部１６内に挿入される。この様に、ボス部１６の径を大きくして誘い込みを設けるなどしなくとも、ボス部１６先端の切り口面２７を高低にするのみで挿入部２６の下端側はボス部１６内に入りやすくなって、見返し板７の組付作業性が良くなる。
【００１９】
また、図４に示す様に、切り口面２７にはボス部１６中心側の角部に曲面形状の面取り２８を施してあるため、見返し板７の挿入部２６がボス部１６内に入りやすい。なお、図５に示す様に、切り口面２７をボス部１６中心側に傾斜する傾斜面２９とすると、見返し板７の挿入部２６はボス部１６内に一層入りやすくなる。この様に、切り口面２７に面取り２８を施したり、傾斜面２９を設けることによって、見返し板７の挿入部２６下端がボス部１６先端の低い側の切り口面２７に偏った状態で当接しても、挿入部２６の下端側はボス部１６内に入りやすくなって、見返し板７の組付作業性がより良くなる。
【００２０】
また、本実施形態の操作軸１２のボス部１６と見返し板７の挿入部２６との構成は、各図に示す様に略円筒状のボス部１６の中心に略円柱状の操作部１４が位置する。そして、操作部１４とボス部１６との間に略円筒状の挿入部２６が挿入されるようになっているが、各部品の部位は図６に示す様に、見返し板７が操作軸１２に対して一方に偏ったとしても、操作部１４がストッパーとなって挿入部２６の外周がボス部１６の外周よりはみ出すことがなく、挿入部２６の下端はボス部１６の切り口面２７上に当接するようになっている。すなわち、操作軸１２の操作部１４が挿入部２６に対する規制部となって挿入部２６の周囲がボス部１６の周囲より外側に動かないように構成されている。
【００２１】
この様に構成したことにより、見返し板７が最大限偏ったとしても、挿入部２６の下端は高低に形成された切り口面２７上、あるいはＲ状の面取り２８又は傾斜面２９が施された切り口面２７上に確実に当接するため、目視できない箇所であっても見返し板７の挿入部２６は操作軸１２のボス部１６内に入りやすくなって見返し板７の組付作業性がより良くなる。
【００２２】
図７は本発明の第２実施形態を示し、前記第１実施形態とは操作軸が異なるのみで他は同一のため、詳細説明は省略する。操作軸１２Ａのボス部１６Ａは略円筒状を成していて、ボス部１６Ａ先端の切り口面２７は均一の高さで、ボス部１６Ａ中心側に傾斜する傾斜面２８としてある。また、操作軸１２Ａのボス部１６Ａと見返し板７の挿入部２６との部位は、前記第１実施形態と同様になっており、見返し板７が操作軸１２Ａに対して一方に偏ったとしても、操作部１４がストッパーとなって挿入部２６の外周がボス部１６Ａの外周よりはみ出すことがなく、挿入部２６の下端はボス部１６Ａの切り口面２７上に当接するようになっている。すなわち、操作軸１２Ａの操作部１４が挿入部２６に対する規制部となって挿入部２６の周囲がボス部１６Ａの周囲より外側に動かないように構成されている。なお、ボス部１６Ａは円筒状に限らず角状でも良く、ボス部１６Ａ内に挿入される見返し板７の挿入部２６も円筒状でなくとも良い。
【００２３】
この様に構成したことにより、前記第１実施形態と同様に見返し板７が最大限偏ったとしても、挿入部２６の下端は切り口面２７上に確実に当接し、しかも切り口面２７が傾斜面２９となっているために、挿入部２６は傾斜面２９に沿ってボス部１６Ａ中心側に動きボス部１６Ａ内に挿入される。この様に、ボス部１６Ａの径を大きくして誘い込みを設けるなどしなくとも、ボス部１６Ａ先端の切り口面２７を中心側に傾斜する傾斜面２９とするのみで挿入部２６の下端側はボス部１６Ａ内に入りやすくなって、見返し板７の組付作業性がより良くなる。
【００２４】
なお、本発明は前記各実施形態に限定されるものではなく、透視板と見返し板あるいは見返し板とケースをそれぞれ組み付ける際に同様の構造としても良い。
【００２５】
【発明の効果】
請求項１に記載の効果としては、第１の部品と第２の部品を組み付ける際に、一方に偏った状態で組み付けが行われようとしても、第１の部品のボス部の径を大きくして誘い込みを設けることなく、ボス部先端の切り口面を高低にし、ボス部中心側の角部に面取りをすることにより、切り口面に偏った状態で当接した第２の部品の挿入部下端が低い方へと、かつ切り口面に沿ってボス部の中心側へ寄るようにと移動して、挿入部下端側はボス部内に入りやすくなって、部品の組付作業性が良くなる。また、第２の部品の挿入部下端が第１の部品のボス部先端の低い側の切り口面に偏った状態で当接しても、挿入部の下端側はボス部内に入りやすくなる。また、第１の部品と第２の部品を組み付ける際に、一方に最大限偏った状態で組み付けが行われようとしても、規制部により第２の部品の挿入部の外周が第１の部品のボス部の外周より外側にはみ出すことがなく挿入部下端が切り口面上に当接し、切り口面の高低、あるいは面取りによって挿入部の下端側はボス部内に入りやすくなる。
【００２６】
請求項２に記載の効果としては、第１の部品と第２の部品を組み付ける際に、一方に偏った状態で組み付けが行われようとしても、第１の部品のボス部の径を大きくして誘い込みを設けることなく、ボス部先端の切り口面を高低にし、ボス部中心側に傾斜する傾斜面とすることにより、切り口面に偏った状態で当接した第２の部品の挿入部下端が低い方へと、かつ切り口面に沿ってボス部の中心側へ寄るようにと移動して、挿入部下端側はボス部内に入りやすくなって、部品の組付作業性が良くなる。また、第２の部品の挿入部下端が第１の部品のボス部先端の低い側の切り口面に偏った状態で当接しても、挿入部の下端側はボス部内に入りやすくなる。また、第１の部品と第２の部品を組み付ける際に、一方に最大限偏った状態で組み付けが行われようとしても、規制部により第２の部品の挿入部の外周が第１の部品のボス部の外周より外側にはみ出すことがなく挿入部下端が切り口面上に当接し、切り口面の高低、あるいは傾斜面によって挿入部の下端側はボス部内に入りやすくなる。
【００２９】
請求項３に記載の効果としては、第１の部品と第２の部品を組み付ける際に、一方に最大限偏った状態で組み付けが行われようとしても、規制部により第２の部品の挿入部の外周が第１の部品のボス部の外周より外側にはみ出すことがなく挿入部下端が切り口面上に当接し、切り口面に設けた傾斜面によって挿入部の下端側はボス部内に入りやすくなって、部品の組付作業性がより良くなる。
【図面の簡単な説明】
【図１】本発明の第１実施形態を示す計器装置の部分断面図。
【図２】同実施形態を示し、図１と直交方向の計器装置の部分断面図。
【図３】同実施形態の操作軸を示す斜視図。
【図４】同実施形態の操作軸のボス部を示す部分断面図。
【図５】同実施形態の変形例を示す操作軸のボス部の部分断面図。
【図６】同実施形態の見返し板の組み付け状態を示す部分断面図。
【図７】本発明の第２実施形態を示す操作軸の部分断面図。
【図８】従来の計器装置を示す部分断面図。
【図９】従来の計器装置を示し、図８と直交方向の部分断面図。
【符号の説明】
７  見返し板（第２の部品）
１２，１２Ａ  操作軸（第１の部品）
１４  操作部（規制部）
１６，１６Ａ  ボス部
２６  挿入部
２７  切り口面
２８  面取り
２９  傾斜面
【図１】
0003773091.tif 000002
【図２】
0003773091.tif 000003
【図３】
0003773091.tif 000004
【図４】
0003773091.tif 000005
【図５】
0003773091.tif 000006
【図６】
0003773091.tif 000007
【図７】
0003773091.tif 000008
【図８】
0003773091.tif 000009
【図９】
0003773091.tif 000010